(57)【要約】【課題】  熱帯魚店等の専門業者がユーザの熱帯魚水槽内環境の情報を定期的に把握可能として、ユーザへの訪問前に事前入手することができるようにした観賞魚水槽内環境監視方式を得る。【解決手段】  水槽側に、水槽１０１内を撮影する撮影装置１１２と、水槽内の環境情報を測定する測定機器１０５〜１１１と、撮影装置による映像情報及び測定機器による測定情報を通信網側へ送信する通信機器１１３を設ける。水槽内環境を監視する監視サーバ側に、水槽側から通信網を介した送信情報を受信する通信機器と、この受信情報を用いて水槽内の環境を監視する機器を設ける。各施設・企業の熱帯魚水槽設備が水温情報や水質情報等の水槽内環境情報を発信して熱帯魚店等の専門業者（監視サーバ）へ送信することにより、専門業者は水槽内環境情報をリアルタイムに取得することができる。【選択図】      図２
2008000037.tif 000002
【特許請求の範囲】
【請求項１】
観賞魚水槽内環境を監視する観賞魚水槽内環境監視システムであって、
前記水槽の設置側において、
前記水槽内を撮影する撮影手段と、前記水槽内の環境情報を測定する測定手段と、前記撮影手段の映像情報及び前記測定手段の測定情報を通信網側へ送信する第一の通信手段とを設け、
前記水槽内環境を監視する監視サーバ側において、
前記第一の通信手段からの前記通信網を介した送信情報を受信する第二の通信手段と、この第二の通信手段による受信情報を用いて前記水槽内の環境を監視する監視手段とを設けたことを特徴とする観賞魚水槽内環境監視システム。
【請求項２】
前記監視手段は、前記映像情報により得られた熱帯魚の種類及び匹数と前記環境情報とに応じて前記水槽内の環境の適否を監視することを特徴とする請求項１記載の観賞魚水槽内環境監視システム。
【請求項３】
前記監視手段は、前記測定手段からの測定情報の応答の有無に応じて当該測定手段の故障の有無を監視することを特徴とする請求項１または２記載の観賞魚水槽内環境監視システム。
【請求項４】
前記環境情報は、水温、水素イオン濃度、亜硝酸値、全硬度、残留塩素値、化学的酸素消費量、水位などを含むことを特徴とする請求項１〜３いずれか記載の観賞魚水槽内環境監視システム。
【請求項５】
前記水温、水素イオン濃度は必須の監視項目であり、残余はオプション契約による監視項目であることを特徴とする請求項４記載の観賞魚水槽内環境監視システム。
【請求項６】
観賞魚水槽内環境を監視する観賞魚水槽内環境監視方法であって、
前記水槽の設置側において、
前記水槽内を撮影する撮影ステップと、前記水槽内の環境情報を測定する測定ステップと、前記撮影ステップによる映像情報及び前記測定ステップによる測定情報を通信網側へ送信するステップと、
前記水槽内環境を監視する監視サーバ側において、
前記水槽側から前記通信網を介した送信情報を受信するステップと、この受信情報を用いて前記水槽内の環境を監視する監視ステップと、
を含むことを特徴とする観賞魚水槽内環境監視方法。
【請求項７】
前記監視ステップは、前記映像情報により得られた熱帯魚の種類及び匹数に応じて前記水槽内の環境の適否を監視することを特徴とする請求項６記載の観賞魚水槽内環境監視方法。
【請求項８】
前記監視ステップは、前記測定ステップからの測定情報の応答の有無に応じて当該測定器の故障の有無を監視することを特徴とする請求項６または７記載の観賞魚水槽内環境監視方法。
【請求項９】
前記環境情報は、水温、水素イオン濃度、亜硝酸値、全硬度、残留塩素値、化学的酸素消費量、水位などを含むことを特徴とする請求項６〜８いずれか記載の観賞魚水槽内環境監視方法。
【請求項１０】
前記水温、水素イオン濃度は必須の監視項目であり、残余はオプション契約による監視項目であることを特徴とする請求項９記載の観賞魚水槽内環境監視方法。
【請求項１１】
観賞魚水槽内環境を監視する観賞魚水槽内環境監視システムに用いる水槽セットであって、
前記水槽内を撮影する撮影手段と、前記水槽内の環境情報を測定する測定手段と、前記撮影手段の映像情報及び前記測定手段の測定情報を、通信網側を介して監視サーバへ送信する送信手段とを含むことを特徴とする水槽セット。
【請求項１２】
前記環境情報は、水温、水素イオン濃度、亜硝酸値、全硬度、残留塩素値、化学的酸素消費量、水位などを含み、前記測定手段はこれら環境情報の測定器であることを特徴とする請求項１１記載の水槽セット。
【請求項１３】
観賞魚水槽内環境を監視する観賞魚水槽内環境監視システムに用いる監視サーバであって、
前記水槽内の映像情報及び環境情報を通信網を介して受信する手段と、
前記映像情報により得られた熱帯魚の種類及び匹数と前記環境情報とに応じて前記水槽内の環境の適否を監視することを特徴とする監視サーバ。
【請求項１４】
前記監視手段は、前記測定手段からの測定情報の応答の有無に応じて当該測定手段の故障の有無を監視することを特徴とする請求項１３記載の監視サーバ。
【請求項１５】
前記環境情報は、水温、水素イオン濃度、亜硝酸値、全硬度、残留塩素値、化学的酸素消費量、水位などを含むことを特徴とする請求項１３または１４記載の監視サーバ。
【請求項１６】
前記水温、水素イオン濃度は必須の監視項目であり、残余はオプション契約による監視項目であることを特徴とする請求項１５記載の監視サーバ。
【発明の詳細な説明】
【技術分野】
【０００１】
本発明は観賞魚水槽内環境監視システム及びその方法並びにそれに用いる水槽セット及び監視サーバに関し、特に熱帯魚を飼育するための水槽内の水温や水質などの環境を自動的に把握して管理するための観賞魚水槽内環境監視方式に関するものである。
【背景技術】
【０００２】
個人の趣味範囲で行う熱帯魚飼育・鑑賞とは、ただ熱帯魚を見て楽しむだけのものではなく、水温・水質等の最適な水槽内環境を作り、環境を一定に保つための管理過程を楽しむものである。また、水槽内環境の管理に手間がかからないように工夫することも醍醐味である。
【０００３】
逆に、病院・図書館等の各施設のロビーや企業の玄関に設置されている熱帯魚水槽は、各施設・企業に訪れる方々の目を楽しませるためのものであり、手間のかかる水槽内環境の管理は契約した熱帯魚店等の専門業者に任されているのが一般的である。すなわち、病院・図書館等の各施設のロビーや企業の玄関に設置されている熱帯魚水槽は、これらお客様であるユーザと契約を交わした熱帯魚店等の専門業者が定期的に訪問して管理を行っている。
【０００４】
また、最適な水槽内環境をユーザへ提供するためには、水温・水質等の情報を常に把握しておく必要がある。熱帯魚店等の専門業者は、多々存在するユーザ毎の熱帯魚水槽内環境がどのように変化しており、定期メンテナンス時にどのような対応をしたら良いのか把握する必要があるが、現状ではその術がなく、実際に、ユーザ先へ訪問しなければ水槽内環境を認識することができず、よって、熱帯魚水槽に対して的確なメンテナンスの準備が不可能となっている。
【０００５】
ここで、特許文献１を参照すると、病院・図書館等の各施設のロビーや企業の玄関に設置されている熱帯魚水槽の周囲に表示装置を設けて、メッセージや水質に関する情報を表示するようにして、多数の人の注意を喚起し易くする技術が開示されている。また、特許文献２を参照すると、ユーザが個別に管理する熱帯魚水槽内の水温や水質などの情報を、インターネットなどの通信網を介して一箇所のサーバに集めて蓄積し、この蓄積データに対してより高度の情報処理や加工を施して、個々のユーザに提供し、ユーザはこのサーバより提供された情報をユーザのパーソナルコンピュータにより表示閲覧可能とした技術が開示されている。
【０００６】
【特許文献１】特開平９−０００１０８号公報
【特許文献２】特開２００５−０８０５９１号公報
【発明の開示】
【発明が解決しようとする課題】
【０００７】
特許文献１では、熱帯魚水槽の周囲に表示装置を設けておき、この表示装置にメッセージや水質に関する情報を表示するものであるから、メンテナンスのために、熱帯魚店等の専門業者がユーザの水槽内の環境を定期的に把握するには、水槽設置場所、すなわちユーザ側へその都度出向くことが必要である。
【０００８】
また、特許文献２では、ユーザ自身が個別に管理することを前提としたものであり、そのために、ユーザの熱帯魚水槽内の環境情報を一箇所に集めてサーバで処理し、これを再度ユーザ側のパーソナルコンピュータへフィードバックしてユーザにより閲覧可能としたものであり、熱帯魚店等の専門業者が、メンテナンスのために、ユーザの水槽内の環境を定期的に把握するようにしたものではない。
【０００９】
本発明の目的は、熱帯魚店等の専門業者がユーザの熱帯魚水槽内環境の情報を定期的に把握可能として、ユーザへの訪問前に事前入手することができるようにした観賞魚水槽内環境監視システム及びその方法並びにそれに用いる水槽セット及び監視サーバを提供することである。
【課題を解決するための手段】
【００１０】
本発明による観賞魚水槽内環境監視システムは、前記水槽の設置側において、前記水槽内を撮影する撮影手段と、前記水槽内の環境情報を測定する測定手段と、前記撮影手段の映像情報及び前記測定手段の測定情報を通信網側へ送信する第一の通信手段とを設け、前記水槽内環境を監視する監視サーバ側において、前記第一の通信手段からの前記通信網を介した送信情報を受信する第二の通信手段と、この第二の通信手段による受信情報を用いて前記水槽内の環境を監視する監視手段とを設けたことを特徴とする。
【００１１】
本発明による観賞魚水槽内環境監視方法は、前記水槽の設置側において、前記水槽内を撮影する撮影ステップと、前記水槽内の環境情報を測定する測定ステップと、前記撮影ステップによる映像情報及び前記測定ステップによる測定情報を通信網側へ送信するステップと、前記水槽内環境を監視する監視サーバ側において、前記水槽側から前記通信網を介した送信情報を受信するステップと、この受信情報を用いて前記水槽内の環境を監視する監視ステップとを含むことを特徴とする。
【００１２】
本発明による水槽セットは、観賞魚水槽内環境を監視する観賞魚水槽内環境監視システムに用いる水槽セットであって、水槽内を撮影する撮影手段と、前記水槽内の環境情報を測定する測定手段と、前記撮影手段の映像情報及び前記測定手段の測定情報を、通信網側を介して監視サーバへ送信する送信手段とを含むことを特徴とする。
【００１３】
本発明による監視サーバ、観賞魚水槽内環境を監視する観賞魚水槽内環境監視システムに用いる監視サーバであって、前記水槽内の映像情報及び環境情報を通信網を介して受信する手段と、前記映像情報により得られた熱帯魚の種類及び匹数と前記環境情報とに応じて前記水槽内の環境の適否を監視することを特徴とする。
【発明の効果】
【００１４】
本発明による第一の効果は、各施設・企業の熱帯魚水槽設備が水温情報や水質情報等の水槽内環境情報を発信して熱帯魚店等の専門業者へ送信することにより、専門業者は水槽内環境情報をリアルタイムに取得することができることである。
【００１５】
本発明による第二の効果は、各施設・企業の熱帯魚水槽設備が、水槽内環境を検出するためのセンサである水温計／水素イオン濃度計／亜硝酸計／全硬度計／残留塩素計／化学的酸素消費量計の計測器不具合情報を検出して、熱帯魚店等の専門業者へ送信することにより、専門業者は計測器の不具合情報をリアルタイムに取得することができることである。
【００１６】
本発明による第三の効果は、各施設・企業の熱帯魚水槽設備の可視サーモグラフィカメラが、熱帯魚店等の専門業者へ熱帯魚水槽内の映像を送信することにより、専門業者は熱帯魚水槽内の魚の種別・魚名・匹数の情報をリアルタイムに取得することができ、最適な水槽内環境を一定に保つための管理ができることである。
【００１７】
本発明による第四の効果は、監視機能には標準機能の水温／ｐＨ監視、オプションの一つである亜硝酸／全硬度監視、また他のオプションである残留塩素／化学的酸素消費量監視があり、ユーザの要望に合わせた監視内容の選択が可能であることである。
【００１８】
このように、ユーザの熱帯魚水槽内環境情報を訪問前に事前入手することにより、管理負荷低減が可能となり業務効率向上及び的確なメンテナンス強化の効果がある。
【発明を実施するための最良の形態】
【００１９】
以下に、図面を参照しつつ本発明の実施例を詳細に説明する。図１は本発明の実施例のシステム概略図である。図１に示すとおり、各施設・企業熱帯魚水槽１００、熱帯魚店等専門業者２００により構成されており、それぞれはインターネット５００などの通信網を介して接続されている。
【００２０】
各施設・企業熱帯魚水槽１００は熱帯魚店等の専門業者と契約を交わした客先、すなわちユーザの熱帯魚水槽設備（水槽セット）であり、図２に示すとおり、水槽本体１０１、ろ過装置１０２、ヒータ１０３、サーモスタット１０４、水温計１０５、水素イオン濃度計１０６、亜硝酸計１０７、全硬度計１０８、残留塩素計１０９、化学的酸素消費量計１１０、水位計１１１、可視サーモグラフィカメラ１１２、通信機器１１３、水槽制御部１２０が１セット構成で設置されている。
【００２１】
水槽本体１０１は熱帯魚を飼育する水槽である。ろ過装置１０２は水槽内の飼育水をろ過する装置である。ヒータ１０３は水槽内の飼育水を温める装置である。サーモスタット１０４は水槽内の飼育水温を調節するための計測器であり、水槽制御部１２０からの℃設定値問合せ命令を受信後、現在の℃設定値を水槽制御部１２０に発信する機能と、水槽制御部１２０からの℃設定値変更命令を受信後、受信した℃設定値変更命令の内容によって、ヒータ１０３の発熱量を通電ＯＮ／ＯＦＦにより調整し、その調整が完了した事を水槽制御部１２０に通知する機能とを有する。
【００２２】
水温計１０５は水槽内の飼育水温を測定し、水温が熱帯魚毎に適した数値であるかを検知する計測器である。また、検出単位を℃値とし、水槽制御部１２０からの℃値問合せ命令を受信後、現在の℃値を水槽制御部１２０に発信する機能を有する。水素イオン濃度計１０６は水槽内の飼育水に溶存している水素イオンの濃度を測定し、水素イオン濃度が熱帯魚毎に適した数値であるかを検知する計測器である。水素イオン濃度の数値がｐＨ７．０の場合は中性で、ｐＨ７．０より低値が酸性、高値がアルカリ性であり、熱帯魚毎に適した飼育水であるか判断できる。また、検出単位をｐＨ値とし、水槽制御部１２０からのｐＨ値問合せ命令を受信後、現在のｐＨ値を水槽制御部１２０に発信する機能を有する。
【００２３】
亜硝酸計１０７は水槽内の飼育水に蓄積した亜硝酸（熱帯魚の排出物・食べ残しのエサ等の有機物が細菌により分解されてアンモニアやアンモニウム等の無機物となり、その無機物が酸化したもの）の蓄積濃度を測定し、亜硝酸蓄積濃度が飼育水として影響の無い数値であるかを検知する計測器である。亜硝酸蓄積濃度が高値の場合は、飼育水中のろ過バクテリアや水草によるサイクルに問題が生じており、汚れた飼育水であると判断できる。亜硝酸蓄積濃度が低値の場合は、飼育水中のろ過バクテリアや水草によるサイクルが働いており、清浄な飼育水であると判断できる。また、検出単位をＮＯ2 値とし、水槽制御部１２０からのＮＯ2 値問合せ命令を受信後、現在のＮＯ2 値を水槽制御部１２０に発信する機能を有する。
【００２４】
全硬度計１０８は水槽内の飼育水に溶存しているカルシウムとマグネシウムの合計量に換算した炭酸マグネシウム濃度を測定し、炭酸マグネシウム濃度が飼育水として影響の無い数値であるかを検知する計測器である。炭酸マグネシウム濃度が高値の場合は、飼育水に適さない硬水であると判断できる。炭酸マグネシウム濃度が低値の場合は、飼育水に適した軟水または硬水であると判断できる。また検出単位をＴＨ値とし、水槽制御部１２０からのＴＨ値問合せ命令を受信後、現在のＴＨ値を水槽制御部１２０に発信する機能を有する。
【００２５】
残留塩素計１０９は水槽内の飼育水に溶存している上水道水消毒用の塩素濃度を測定し、残留している塩素濃度が飼育水として影響の無い数値であるかを検知する計測器である。塩素濃度が高値の場合は、飼育水中に塩素が多く存在し、飼育水に適さないと判断できる。塩素濃度が低値の場合は、飼育水中の塩素が少なく、飼育水に適していると判断できる。また、検出単位をＣＩＯ値とし、水槽制御部１２０からのＣＩＯ値問合せ命令を受信後、現在のＣＩＯ値を水槽制御部１２０に発信する機能を有する。
【００２６】
化学的酸素消費量計１１０は、水槽内の飼育水に蓄積した有機物が酸化する際に消費した酸素消費量を測定し、化学的酸素消費量が飼育水として影響の無い数値であるかを検知する計測器である。化学的酸素消費量が高値の場合は、飼育水中に有機物が多く存在し、汚れた飼育水であると判断できる。化学的酸素消費量が低値の場合は、飼育水中の有機物が少なく、清浄な飼育水であると判断できる。また、検出単位をＣＯＤ値とし、水槽制御部１２０からのＣＯＤ値問合せ命令を受信後、現在のＣＯＤ値を水槽制御部１２０に発信する機能を有する。
【００２７】
水位計１１１は水槽内の飼育水位を検知する計測器である。可視サーモグラフィカメラ１１２は水槽内の魚の種別・魚名・匹数を識別するための映像取得用の装置であり、可視撮影及びサーモグラフィ撮影を行う機能を有する。通信機器１１３は熱帯魚店等専門業者２００との情報受発信用の装置である。
【００２８】
水槽制御部１２０は、図３に示すように、処理装置１２１、計測器情報ＤＢ１２２により構成されている。水槽制御部１２０の処理装置１２１はパーソナルコンピュータ等の情報処理装置であり、次の機能を有する。
（１）撮影間隔値と撮影開始時間をシステム構築時に事前設定することにより、可視サーモグラフィカメラ１１２が水槽内の映像を取得する機能。
（２）取得した映像を熱帯魚識別システム２１０へ送信する機能。
（３）水槽環境管理システム２２０からの℃値確認命令受信後、℃値問合せ命令を水温計１０５に送信する機能。
（４）水温計１０５からの応答有結果により計測器情報ＤＢ１２２を検索し、℃値信号を水槽環境管理システム２２０に送信する機能。
（５）水温計１０５からの応答無結果により計測器情報ＤＢ１２２を検索し、水温計故障信号を水槽環境管理システム２２０に送信する機能。
【００２９】
（６）水槽環境管理システム２２０からの℃設定値調整命令受信後、℃設定値問合せ命令を水サーモスタット１０４に送信する機能。
（７）サーモスタット１０４からの応答有結果により計測器情報ＤＢ１２２を検索し、℃設定値変更命令をサーモスタット１０４に送信後、サーモスタット１０４から℃設定値変更信号を受信する機能。
（８）サーモスタット１０４からの応答無結果により計測器情報ＤＢ１２２を検索し、サーモスタット故障信号を水槽環境管理システム２２０に送信する機能。
（９）水槽環境管理システム２２０からのｐＨ値確認命令受信後、ｐＨ値問合せ命令を水素イオン濃度計１０６に送信する機能。
（１０）水素イオン濃度計１０６からの応答有結果により計測器情報ＤＢ１２２を検索し、ｐＨ値信号を水槽環境管理システム２２０に送信する機能。
【００３０】
（１１）水素イオン濃度計１０６からの応答無結果により計測器情報ＤＢ１２２を検索し、水素イオン濃度計故障信号を水槽環境管理システム２２０に送信する機能。
（１２）水槽環境管理システム２２０からのＮＯ2 値確認命令受信後、ＮＯ2 値問合せ命令を亜硝酸計１０７に送信する機能。
（１３）亜硝酸計１０７からの応答有結果により計測器情報ＤＢ１２２を検索し、ＮＯ2 値信号を水槽環境管理システム２２０に送信する機能。
（１４）水槽環境管理システム２２０からのＴＨ値確認命令受信後、ＴＨ値問合せ命令を全硬度計１０８に送信する機能。
（１５）全硬度計１０８からの応答有結果により計測器情報ＤＢ１２２を検索し、ＴＨ値信号を水槽環境管理システム２２０に送信する機能。
【００３１】
（１６）亜硝酸計１０７からの応答無結果により計測器情報ＤＢ１２２を検索し、亜硝酸計故障信号を水槽環境管理システム２２０に送信する機能。
（１７）全硬度計１０８からの応答無結果により計測器情報ＤＢ１２２を検索し、全硬度計故障信号を水槽環境管理システム２２０に送信する機能。
（１８）水槽環境管理システム２２０からのＣＩＯ値確認命令受信後、ＣＩＯ値問合せ命令を残留塩素計１０９に送信する機能。
（１９）残留塩素計１０９からの応答有結果により計測器情報ＤＢ１２２を検索し、ＣＩＯ値信号を水槽環境管理システム２２０に送信する機能。
（２０）水槽環境管理システム２２０からのＣＯＤ値確認命令受信後、ＣＯＤ値問合せ命令を化学的酸素消費量計１１０に送信する機能。
【００３２】
（２１）化学的酸素消費量計１１０からの応答有結果により計測器情報ＤＢ１２２を検索し、ＣＯＤ値信号を水槽環境管理システム２２０に送信する機能。
（２２）残留塩素計１０９からの応答無結果により計測器情報ＤＢ１２２を検索し、残留塩素計故障信号を水槽環境管理システム２２０に送信する機能。
（２３）化学的酸素消費量計１１０からの応答無結果により計測器情報ＤＢ１２２を検索し、化学的酸素消費量計故障信号を水槽環境管理システム２２０に送信する機能。
（２４）水槽環境管理システム２２０からの映像再取得命令受信後、可視サーモグラフィカメラ１１２が水槽内の映像を再取得する機能。
（２５）再取得した映像を熱帯魚識別システム２１０へ送信する機能。
【００３３】
熱帯魚店等専門業者２００は契約を交わしたユーザの熱帯魚水槽設備を管理する組織であり、図４に示すとおり、監視用モニタ２０１、通信機器２０２、熱帯魚識別システム２１０、水槽環境管理システム２２０が１セット構成で設置されている。監視用モニタ２０１は各施設・企業熱帯魚水槽１００からの情報検出結果を画面表示させる装置である。通信機器２０２は各施設・企業熱帯魚水槽１００との情報受発信用の装置である。
【００３４】
熱帯魚識別システム２１０は、図５に示すように、処理装置２１１、ユーザ毎シルエット情報ＤＢ（データベース）２１２、全種シルエット情報ＤＢ２１３により構成されている。熱帯魚識別システム２１０の処理装置２１１はサーバ等の情報処理装置であり、以下の機能を有する。
【００３５】
（１）水槽制御部１２０からの映像情報によりユーザ毎シルエット情報ＤＢ２１２を検索し、照合結果が一致する場合は水槽環境管理システム２２０に水槽内環境照合命令を送信する機能。
（２）水槽制御部１２０からの映像情報によりユーザ毎シルエット情報ＤＢ２１２を検索し、照合結果が不一致の場合は水槽環境管理システム２２０に匹数不一致信号を送信する機能。
（３）水槽制御部１２０からの映像再情報によりユーザ毎シルエット情報ＤＢ２１２を再検索し、照合結果が匹数少及び匹数１匹以上の場合はユーザ毎シルエット情報ＤＢ２１２をデータ更新後、水槽環境管理システム２２０にユーザ情報更新信号を送信する機能。
（４）水槽制御部１２０からの映像再情報によりユーザ毎シルエット情報ＤＢ２１２を再検索し、照合結果が匹数多の場合は全種シルエット情報ＤＢ２１３を検索し、照合結果がＤＢ情報有の場合はユーザ毎シルエット情報ＤＢ２１２をデータ更新後、水槽環境管理システム２２０にユーザ情報更新信号を送信する機能。
（５）全種シルエット情報ＤＢ２１３を検索し、照合結果がＤＢ情報無の場合は匹数確定後、水槽環境管理システム２２０にＤＢ情報無信号を送信する機能。
（６）水槽制御部１２０からの映像再情報によりユーザ毎シルエット情報ＤＢ２１２を再検索し、照合結果が匹数少及び０匹の場合は水槽環境管理システム２２０に匹数ゼロ信号を送信する機能。
【００３６】
水槽環境管理システム２２０は、図６に示すように、処理装置２２１、ユーザ情報ＤＢ２２２、オプション情報ＤＢ２２３、ＮＯ2 ／ＴＨ情報ＤＢ２２４、ＣＩＯ／ＣＯＤ情報ＤＢ２２５により構成されている。水槽環境管理システム２２０の処理装置２２１はサーバ等の情報処理装置であり、次の機能を有する。
【００３７】
（１）熱帯魚識別システム２１０からの水槽内環境照合命令を受信後、水槽制御部１２０に℃値確認命令を送信する機能。
（２）水槽制御部１２０からの℃値信号によりユーザ情報ＤＢ２２２を検索し、適正値の場合は℃値適正の照合結果を監視モニタ２０１に表示する機能。
（３）水槽制御部１２０からの水温計故障信号受信後、水温計故障検出結果を監視モニタ２０１に表示する機能
（４）水槽制御部１２０からの℃値信号によりユーザ情報ＤＢ２２２を検索し、不適正値の場合は℃値不適正の照合結果を監視モニタ２０１に表示後、水槽制御部１２０に℃設定値調整命令を送信する機能。
（５）水槽制御部１２０からのサーモスタット故障信号受信後、サーモスタット故障検出結果を監視モニタ２０１に表示する機能。
【００３８】
（６）照合及び検出結果を監視モニタ２０１に表示後、水槽制御部１２０にｐＨ値確認命令を送信する機能。
（７）水槽制御部１２０からのｐＨ値信号によりユーザ情報ＤＢ２２２を検索し、適正値の場合はｐＨ値適正の照合結果を監視モニタ２０１に表示する機能。
（８）水槽制御部１２０からのｐＨ値信号によりユーザ情報ＤＢ２２２を検索し、不適正値の場合はｐＨ値不適正の照合結果を監視モニタ２０１に表示する機能。
（９）水槽制御部１２０からの水素イオン濃度計故障信号受信後、水素イオン濃度計故障検出結果を監視モニタ２０１に表示する機能。
（１０）オプション情報ＤＢ２２３を検索し、照合結果がオプション無の場合は緊急出動及び次回点検時の参考情報とする機能。
【００３９】
（１１）オプション情報ＤＢ２２３を検索し、照合結果がＮＯ2 ／ＴＨ監視のオプションＡ有または、オプションＡとＣＩＯ／ＣＯＤ監視のオプションＢ両方有の場合は水槽制御部１２０にＮＯ2 値確認命令を送信する機能。
（１２）水槽制御部１２０からのＮＯ2 値信号によりＮＯ2 ／ＴＨ情報ＤＢ２２４を検索し、適正値の場合はＮＯ2 値適正の照合結果を監視モニタ２０１に表示する機能。
（１３）水槽制御部１２０からのＮＯ2 値信号によりＮＯ2 ／ＴＨ情報ＤＢ２２４を検索し、不適正値の場合はＮＯ2 値不適正の照合結果を監視モニタ２０１に表示する機能。
（１４）照合及び検出結果を監視モニタ２０１に表示後、水槽制御部１２０にＴＨ値確認命令を送信する機能。
（１５）水槽制御部１２０からのＴＨ値信号によりＮＯ2 ／ＴＨ情報ＤＢ２２４を検索し、適正値の場合はＴＨ値適正の照合結果を監視モニタ２０１に表示する機能。
【００４０】
（１６）水槽制御部１２０からのＴＨ値信号によりＮＯ2 ／ＴＨ情報ＤＢ２２４を検索し、不適正値の場合はＴＨ値不適正の照合結果を監視モニタ２０１に表示する機能。
（１７）水槽制御部１２０からの亜硝酸計故障信号受信後、亜硝酸計故障検出結果を監視モニタ２０１に表示する機能。
（１８）水槽制御部１２０からの全硬度計故障信号受信後、全硬度計故障検出結果を監視モニタ２０１に表示する機能。
（１９）オプション情報ＤＢ２２３を検索し、照合結果がオプションＢ有の場合は水槽制御部１２０にＣＩＯ値確認命令を送信する機能。
（２０）水槽制御部１２０からのＣＩＯ値信号によりＣＩＯ／ＣＯＤ情報ＤＢ２２５を検索し、適正値の場合はＣＩＯ値適正の照合結果を監視モニタ２０１に表示する機能。
【００４１】
（２１）水槽制御部１２０からのＣＩＯ値信号によりＣＩＯ／ＣＯＤ情報ＤＢ２２５を検索し、不適正値の場合はＣＩＯ値不適正の照合結果を監視モニタ２０１に表示する機能。
（２２）照合及び検出結果を監視モニタ２０１に表示後、水槽制御部１２０にＣＯＤ値確認命令を送信する機能。
（２３）水槽制御部１２０からのＣＯＤ値信号によりＣＩＯ／ＣＯＤ情報ＤＢ２２５を検索し、適正値の場合はＣＯＤ値適正の照合結果を監視モニタ２０１に表示する機能。
（２４）水槽制御部１２０からのＣＯＤ値信号によりＣＩＯ／ＣＯＤ情報ＤＢ２２５を検索し、不適正値の場合はＣＯＤ値不適正の照合結果を監視モニタ２０１に表示する機能。
（２５）水槽制御部１２０からの残留塩素計故障信号受信後、残留塩素計故障検出結果を監視モニタ２０１に表示する機能。
【００４２】
（２６）水槽制御部１２０からの化学的酸素消費量計故障信号受信後、化学的酸素消費量計故障検出結果を監視モニタ２０１に表示する機能。
（２７）熱帯魚識別システム２１０からの匹数不一致信号受信後、水槽制御部１２０に映像再取得命令を送信する機能。
（２８）熱帯魚識別システム２１０からのユーザ情報更新信号受信後、ユーザ情報ＤＢ２２２を更新し熱帯魚減少検出結果を監視モニタ２０１に表示する機能。
（２９）熱帯魚識別システム２１０からのユーザ情報更新信号受信後、ユーザ情報ＤＢ２２２を更新し熱帯魚追加検出結果を監視モニタ２０１に表示する機能。
（３０）熱帯魚識別システム２１０からのＤＢ情報無信号受信後、熱帯魚不明検出結果を監視モニタ２０１に表示する機能。
（３１）熱帯魚識別システム２１０からの匹数ゼロ信号受信後、熱帯魚全滅検出結果を監視モニタ２０１に表示する機能。
【００４３】
計測器情報ＤＢ１２２は契約を交わしたユーザの熱帯魚水槽設備の計測器故障検出情報が格納されたデータベースであり、システム構築時に格納しており、図２５にそのデータの一部を示す。ユーザ毎シルエット情報ＤＢ２１２は契約を交わしたユーザの熱帯魚情報が格納されたデータベースであり、システム構築時に格納しており、図２６にそのデータの一部を示す。
【００４４】
全種シルエット情報ＤＢ２１３は全種の熱帯魚シルエット情報が格納されたデータベースであり、システム構築時に格納しており、図２７にそのデータの一部を示す。ユーザ情報ＤＢ２２２は契約を交わしたユーザの熱帯魚水槽情報が格納されたデータベースであり、契約時に登録した情報を格納しており、図２８にそのデータの一部を示す。オプション情報ＤＢ２２３は契約を交わしたユーザのオプション選択情報が格納されたデータベースであり、ＮＯ2 ／ＴＨ値監視を希望されるユーザの場合は、オプションＡ契約を取り交わしてオプションＡ有とし、ＣＩＯ／ＣＯＤ値監視を御希望されるユーザの場合は、オプションＢ契約を取り交わしてオプションＢ有とした情報をシステム構築時に格納しており、図２９にそのデータの一部を示す。
【００４５】
ＮＯ2 ／ＴＨ情報ＤＢ２２４は、監視画面に表示する亜硝酸値／全硬度値情報が格納されたデータベースであり、システム構築時に格納しており、図３０にそのデータの一部を示す。ＣＩＯ／ＣＯＤ情報ＤＢ２２５は、監視画面に表示する残留塩素値／化学的酸素消費量値情報が格納されたデータベースであり、システム構築時に格納しており、図３１にそのデータの一部を示す。
【００４６】
次に、図７〜図２４のフローチャートを用いて本発明の実施例の動作を詳細に説明する。水槽制御部１２０にて予め撮影間隔値をシステム構築時に事前設定し、設定した撮影開始時間になるまで待機状態となる（ステップＡ１）。撮影間隔値は３０分単位で設定可能であり、契約を交わしたユーザの希望により設定を行う。また、最大撮影間隔値は１２時間を上限値とする。
【００４７】
水槽制御部１２０は予め設定した撮影開始時間になったことを確認後、事前設定した撮影間隔で、可視サーモグラフィカメラ１１２が水槽本体１０１の水槽内熱帯魚の撮影を開始する（ステップＡ２）。以下の説明においては、可視撮影とサーモグラフィ撮影の静止画像にて説明を行うが、可視撮影とサーモグラフィ撮影の動画映像でも同様の効果が得られる。
【００４８】
水槽制御部１２０は取得した映像情報をインターネット５００を介して熱帯魚店等専門業者２００の熱帯魚識別システム２１０に送信する（ステップＡ３）。熱帯魚識別システム２１０は受信した映像情報が匹数一致するかユーザ毎シルエットＤＢ２１２を検索する（ステップＡ４）。熱帯魚識別システム２１０が受信した映像を匹数一致と判断した場合、水槽内環境照合命令を水槽環境管理システム２２０に送信する（ステップＡ５）。
【００４９】
水槽環境管理システム２２０は、インターネット５００を介して、水温計１０５が機能しているかどうか℃値確認命令を水槽制御部１２０に送信する（ステップＡ６）。水槽制御部１２０は℃値問合せ命令を水温計１０５に送信する（ステップＡ７）。水温計１０５が℃値を発信する（ステップＡ８）。水槽制御部１２０は水温計１０５からの℃値応答有無結果により計測器情報ＤＢ１２２を検索し、水温計１０５の計測器故障有無判断を行う（ステップＡ９）。
【００５０】
水槽制御部１２０は℃値を受信確認できた場合、水温計１０５を故障無と判断し、水槽環境管理システム２２０に℃値信号を送信する（ステップＡ１０）。水槽環境管理システム２２０は℃値信号を受信後、ユーザ情報ＤＢ２２２を検索する（ステップＡ１１）。水槽環境管理システム２２０は、取得した℃値が適温の適正値に該当することを照合し、℃値適正の監視状況を監視モニタ２０１に表示する（ステップＡ１２）。次に、水槽環境管理システム２２０がｐＨ値を判断するため、インターネット５００を介して水槽制御部１２０に水素イオン濃度計１０６が機能しているかどうかｐＨ値確認命令を送信する（ステップＡ１３）。
【００５１】
次に、℃／ｐＨ値の標準監視以外に、ＮＯ2 ／ＴＨ値監視のオプションＡ契約やＣＩＯ／ＣＯＤ値監視のオプションＢの契約を交わしているかどうか検索する場合について記述する。水槽環境管理システム２２０はｐＨ値の照合結果及び水素イオン濃度計故障検出結果を監視モニタ２０１に表示後、℃／ｐＨ値の標準監視以外に、ＮＯ2 ／ＴＨ値監視のオプションＡやＣＩＯ／ＣＯＤ値監視のオプションＢの契約を交わしているかどうかオプション情報ＤＢ２２３を検索する（ステップＡ１４）。
【００５２】
最後に、オプション情報ＤＢ２２３を検索した結果、オプション契約を取り交わしていなければ、熱帯魚店等の専門業者は、熱帯魚店等専門業者２００の監視モニタ２０１の画面表示から、標準監視の℃／ｐＨ値が適正／不適正値か、水温計／水素イオン濃度計／サーモスタットの計測器が正常に機能しており故障していないかの情報を事前入手して動作を終了する。オプションＡ契約を取り交わしている場合は、オプションＡのＮＯ2 ／ＴＨ値が適正／不適正値か、亜硝酸計／全硬度計の計測器が正常に機能しており故障していないかの情報を事前入手して動作を終了する。オプションＢ契約を取り交わしている場合は、オプションＢのＣＩＯ／ＣＯＤ値は適正／不適正値か、残留塩素計／化学的酸素消費量計の計測器が正常に機能しており故障していないかの情報を事前入手して動作を終了する。（ステップＡ１５）
【００５３】
次に、水槽制御部１２０が水温計１０５の計測器故障有無判断を行い（ステップＡ９）、℃値を受信確認できない場合について記述する。水槽制御部１２０は水温計１０５から一定時間経過しても℃値を受信確認できない場合、水温計１０５故障と判断し、水槽環境管理システム２２０に水温計故障信号を送信する（ステップＡ１６）。水槽環境管理システム２２０は水温計故障の監視状況を監視モニタ２０１に表示する（ステップＡ１７）。
【００５４】
次に、水槽環境管理システム２２０が℃値検索（ステップＡ１１）した結果、℃値を低温の不適正と判断した場合について記述する。水槽環境管理システム２２０は取得した℃値が低温の不適正値に該当することを照合し、℃値不適正の監視状況を監視モニタ２０１に表示する（ステップＡ１８）。次に、水槽環境管理システム２２０が℃値検索（ステップＡ１１）した結果、℃値を高温の不適正と判断した場合について記述する。水槽環境管理システム２２０は取得した℃値が高温の不適正値に該当することを照合し、℃値不適正の監視状況を監視モニタ２０１に表示する（ステップＡ１９）。
【００５５】
次に、水槽環境管理システム２２０が℃値を低温または高温の不適正と判断した場合の後、℃値を調整する方法について記述する。水槽環境管理システム２２０はインターネット５００を介して、サーモスタット１０４の℃設定値に問題が無いかどうかの℃設定値調整命令を水槽制御部１２０に送信する（ステップＡ２０）。水槽制御部１２０は℃設定値問合せ命令をサーモスタット１０４に送信する（ステップＡ２１）。サーモスタット１０４が現在の℃設定値を発信する（ステップＡ２２）。
【００５６】
水槽制御部１２０はサーモスタット１０４からの℃設定値応答有無結果により計測器情報ＤＢ１２２を検索し、サーモスタット１０４の計測器故障有無判断を行う（ステップＡ２３）。水槽制御部１２０は℃設定値を受信確認できた場合、サーモスタット１０４を故障無と判断し、サーモスタット１０４に℃設定値変更命令を送信する（ステップＡ２４）。サーモスタット１０４は℃設定値を変更完了後、℃設定値変更信号を水槽制御部１２０に発信する（ステップＡ２５）。
【００５７】
次に、水槽制御部１２０がサーモスタット１０４の計測器故障有無判断（ステップＡ２３）を行い、℃設定値を受信確認できない場合について記述する。水槽制御部１２０はサーモスタット１０４から一定時間経過しても℃設定値を受信確認できない場合、サーモスタット１０４故障と判断し、水槽環境管理システム２２０にサーモスタット１０４故障信号を送信する（ステップＡ２６）。水槽環境管理システム２２０はサーモスタット１０４故障の監視状況を監視モニタ２０１に表示する（ステップＡ２７）。
【００５８】
次に、水槽環境管理システム２２０がｐＨ値を判断する場合について記述する。水槽制御部１２０は水槽環境管理システム２２０からのｐＨ値確認命令を受信後、ｐＨ値問合せ命令を水素イオン濃度計１０６に送信する（ステップＡ２８）。水素イオン濃度計１０６がｐＨ値を発信する（ステップＡ２９）。水槽制御部１２０は水素イオン濃度計１０６からのｐＨ値応答有無結果により計測器情報ＤＢ１２２を検索し、水素イオン濃度計１０６の計測器故障有無判断を行う（ステップＡ３０）。
【００５９】
水槽制御部１２０はｐＨ値を受信確認できた場合、水素イオン濃度計１０６を故障無と判断し、水槽環境管理システム２２０にｐＨ値信号を送信する（ステップＡ３１）。水槽環境管理システム２２０はｐＨ信号を受信後、ユーザ情報ＤＢ２２２を検索する（ステップＡ３２）。水槽環境管理システム２２０は取得したｐＨ値が適性の適正値に該当することを照合し、ｐＨ値適正の監視状況を監視モニタ２０１に表示する（ステップＡ３３）。
【００６０】
次に、水槽環境管理システム２２０がｐＨ値検索（ステップＡ３２）した結果、ｐＨ値を酸性化の不適正と判断した場合について記述する。水槽環境管理システム２２０は取得したｐＨ値が酸性化の不適正値に該当することを照合し、ｐＨ値不適正の監視状況を監視モニタ２０１に表示する（ステップＡ３４）。
【００６１】
次に、水槽環境管理システム２２０がｐＨ値検索（ステップＡ３２）した結果、ｐＨ値をアルカリ性化の不適正と判断した場合について記述する。水槽環境管理システム２２０はｐＨ値がアルカリ性化の不適正値に該当することを照合し、ｐＨ値不適正の監視状況を監視モニタ２０１に表示する（ステップＡ３５）。
【００６２】
次に、水槽制御部１２０が水素イオン濃度計１０６の計測器故障有無判断（ステップＡ３０）を行い、ｐＨ値を受信確認できない場合について記述する。水槽制御部１２０は水素イオン濃度計１０６から一定時間経過してもｐＨ値を受信確認できない場合、水素イオン濃度計１０６故障と判断し、水槽環境管理システム２２０に水素イオン濃度計故障信号を送信する（ステップＡ３６）。水槽環境管理システム２２０は水素イオン濃度計故障の監視状況を監視モニタ２０１に表示する（ステップＡ３７）。
【００６３】
次に、℃／ｐＨ値の標準監視以外に、ＮＯ2 ／ＴＨ値監視のオプションＡ契約を交わしている場合について記述する。水槽環境管理システム２２０はオプション情報ＤＢ２２３の検索結果から、オプションＡ契約を交わしていることを照合後、インターネット５００を介して亜硝酸計１０７が機能しているかどうかのＮＯ2 値確認命令を水槽制御部１２０に送信する（ステップＡ３８）。水槽制御部１２０はＮＯ2 値問合せ命令を亜硝酸計１０７に送信する（ステップＡ３９）。亜硝酸計１０７がＮＯ2 値を発信する（ステップＡ４０）。水槽制御部１２０は亜硝酸計１０７からのＮＯ2 値応答有無結果により計測器情報ＤＢ１２２を検索し、亜硝酸計１０７の計測器故障有無判断を行う（ステップＡ４１）。
【００６４】
水槽制御部１２０はＮＯ2 値を受信確認できた場合、亜硝酸計１０７を故障無と判断し、水槽環境管理システム２２０にＮＯ2 値信号を送信する（ステップＡ４２）。水槽環境管理システム２２０はＮＯ2 値信号を受信後、ＮＯ2 ／ＴＨ情報ＤＢ２２４を検索する（ステップＡ４３）。水槽環境管理システム２２０は取得したＮＯ2 値が亜硝酸少の適正値に該当することを照合し、ＮＯ2 値適正の監視状況を監視モニタ２０１に表示する（ステップＡ４４）。
【００６５】
次に、水槽環境管理システム２２０がＮＯ2 値検索（ステップＡ４３）した結果、ＮＯ2 値を亜硝酸多の不適正と判断した場合について記述する。水槽環境管理システム２２０は、取得したＮＯ2 値が亜硝酸多の不適正値に該当することを照合し、ＮＯ2 値不適正の監視状況を監視モニタ２０１に表示する（ステップＡ４５）。
【００６６】
次に、水槽環境管理システム２２０がＴＨ値を判断する場合について記述する。水槽環境管理システム２２０はインターネット５００を介して、全硬度計１０８が機能しているかどうかのＴＨ値確認命令を水槽制御部１２０に送信する（ステップＡ４６）。水槽制御部１２０はＴＨ値問合せ命令を全硬度計１０８に送信する（ステップＡ４７）。全硬度計１０８がＴＨ値を発信する（ステップＡ４８）。
【００６７】
水槽制御部１２０は全硬度計１０８からのＴＨ値応答有無結果により計測器情報ＤＢ１２２を検索し、全硬度計１０８の計測器故障有無判断を行う（ステップＡ４９）。水槽制御部１２０はＴＨ値を受信確認できた場合、全硬度計１０８を故障無と判断し、水槽環境管理システム２２０にＴＨ値信号を送信する（ステップＡ５０）。水槽環境管理システム２２０はＴＨ値信号を受信後、ＮＯ2 ／ＴＨ情報ＤＢ２２４を検索する（ステップＡ５１）。
【００６８】
次に、水槽環境管理システム２２０がＴＨ値検索（ステップＡ５１）した結果、ＴＨ値を高値硬水の不適正と判断した場合について記述する。水槽環境管理システム２２０は、取得したＴＨ値が高値硬水の不適正値に該当することを照合し、ＴＨ値不適正の監視状況を監視モニタ２０１に表示する（ステップＡ５２）。次に、水槽環境管理システム２２０がＴＨ値検索（ステップＡ５１）した結果、ＴＨ値を軟水の適正と判断した場合について記述する。水槽環境管理システム２２０は、取得したＴＨ値が軟水の適正値に該当することを照合し、ＴＨ値適正の監視状況を監視モニタ２０１に表示する（ステップＡ５３）。
【００６９】
次に、水槽環境管理システム２２０がＴＨ値検索（ステップＡ５１）した結果、ＴＨ値を硬水の適正と判断した場合について記述する。水槽環境管理システム２２０は、取得したＴＨ値が硬水の適正値に該当することを照合し、ＴＨ値適正の監視状況を監視モニタ２０１に表示する（ステップＡ５４）。次に、水槽環境管理システム２２０がオプションＢ契約も交わしているか選択する（ステップＡ５５）。
【００７０】
次に、水槽制御部１２０が亜硝酸計１０７の計測器故障有無判断（ステップＡ４１）を行い、ＮＯ2 値を受信確認できない場合について記述する。水槽制御部１２０は亜硝酸計１０７から一定時間経過してもＮＯ2 値を受信確認できない場合、亜硝酸計１０７故障と判断し、水槽環境管理システム２２０に亜硝酸計故障信号を送信する（ステップＡ５６）。水槽環境管理システム２２０は亜硝酸計故障の監視状況を監視モニタ２０１に表示する（ステップＡ５７）。
【００７１】
次に、水槽制御部１２０が全硬度計１０８の計測器故障有無判断（ステップＡ４９）を行い、ＴＨ値を受信確認できない場合について記述する。水槽制御部１２０は全硬度計１０８から一定時間経過してもＴＨ値を受信確認できない場合、全硬度計１０８故障と判断し、水槽環境管理システム２２０に全硬度計故障信号を送信する（ステップＡ５８）。水槽環境管理システム２２０は全硬度計故障の監視状況を監視モニタ２０１に表示する（ステップＡ５９）。
【００７２】
次に、ＣＩＯ／ＣＯＤ値監視のオプションＢ契約を交わしている場合について記述する。水槽環境管理システム２２０はオプションＢ契約を交わしていることを照合後、インターネット５００を介して、残留塩素計１０９が機能しているかどうかのＣＩＯ値確認命令を水槽制御部１２０に送信する（ステップＡ６０）。水槽制御部１２０はＣＩＯ値問合せ命令を残留塩素計１０９に送信する（ステップＡ６１）。残留塩素計１０９がＣＩＯ値を発信する（ステップＡ６２）。
【００７３】
水槽制御部１２０は残留塩素計１０９からのＣＩＯ値応答有無結果により計測器情報ＤＢ１２２を検索し、残留塩素計１０９の計測器故障有無判断を行う（ステップＡ６３）。水槽制御部１２０はＣＩＯ値を受信確認できた場合、残留塩素計１０９を故障無と判断し、水槽環境管理システム２２０にＣＩＯ値信号を送信する（ステップＡ６４）。水槽環境管理システム２２０はＣＩＯ値信号を受信後、ＣＩＯ／ＣＯＤ情報ＤＢ２２５を検索する（ステップＡ６５）。水槽環境管理システム２２０は、取得したＣＩＯ値が残留塩素少の適正値に該当することを照合し、ＣＩＯ値適正の監視状況を監視モニタ２０１に表示する（ステップＡ６６）。
【００７４】
次に、水槽環境管理システム２２０がＣＩＯ値検索（ステップＡ６５）した結果、ＣＩＯ値を残留塩素多の不適正と判断した場合について記述する。水槽環境管理システム２２０は、取得したＣＩＯ値が残留塩素多の不適正値に該当することを照合し、ＣＩＯ値不適正の監視状況を監視モニタ２０１に表示する（ステップＡ６７）。
【００７５】
次に、水槽環境管理システム２２０がＣＯＤ値を判断する場合について記述する。水槽環境管理システム２２０はインターネット５００を介して、化学的酸素消費量計１１０が機能しているかどうかのＣＯＤ値確認命令を水槽制御部１２０に送信する（ステップＡ６８）。水槽制御部１２０はＣＯＤ値問合せ命令を化学的酸素消費量計１１０に送信する（ステップＡ６９）。化学的酸素消費量計１１０がＣＯＤ値を発信する（ステップＡ７０）。
【００７６】
水槽制御部１２０は化学的酸素消費量計１１０からのＣＯＤ値応答有無結果により計測器情報ＤＢ１２２を検索し、化学的酸素消費量計１１０の計測器故障有無判断を行う（ステップＡ７１）。水槽制御部１２０はＣＯＤ値を受信確認できた場合、化学的酸素消費量計１１０を故障無と判断し、水槽環境管理システム２２０にＣＯＤ値信号を送信する（ステップＡ７２）。
【００７７】
水槽環境管理システム２２０はＣＯＤ値信号を受信後、ＣＩＯ／ＣＯＤ情報ＤＢ２２５を検索する（ステップＡ７３）。水槽環境管理システム２２０は取得したＣＯＤ値が有機物少の適正値に該当することを照合し、ＣＯＤ値適正の監視状況を監視モニタ２０１に表示する（ステップＡ７４）。
【００７８】
次に、水槽環境管理システム２２０がＣＯＤ値検索（ステップＡ７３）した結果、ＣＯＤ値を有機物多の不適正と判断した場合について記述する。水槽環境管理システム２２０は、取得したＣＯＤ値が有機物多の不適正値に該当することを照合し、ＣＯＤ値不適正の監視状況を監視モニタ２０１に表示する（ステップＡ７５）。
【００７９】
次に、水槽制御部１２０が残留塩素計１０９の計測器故障有無判断（ステップＡ６３）を行い、ＣＩＯ値を受信確認できない場合について記述する。水槽制御部１２０は残留塩素計１０９から一定時間経過してもＣＩＯ値を受信確認できない場合、残留塩素計１０９故障と判断し、水槽環境管理システム２２０に残留塩素計故障信号を送信する（ステップＡ７６）。水槽環境管理システム２２０は残留塩素計故障の監視状況を監視モニタ２０１に表示する（ステップＡ７７）。
【００８０】
次に、水槽制御部１２０が化学的酸素消費量計１１０の計測器故障有無判断（ステップＡ７１）を行い、ＣＯＤ値を受信確認できない場合について記述する。水槽制御部１２０は化学的酸素消費量計１１０から一定時間経過してもＣＯＤ値を受信確認できない場合、化学的酸素消費量計１１０故障と判断し、水槽環境管理システム２２０に化学的酸素消費量計故障信号を送信する（ステップＡ７８）。水槽環境管理システム２２０は化学的酸素消費量計故障の監視状況を監視モニタ２０１に表示する（ステップＡ７９）。
【００８１】
次に、熱帯魚識別システム２１０のシルエット判断（ステップＡ４）結果が匹数減少不一致の場合について記述する。熱帯魚識別システム２１０は匹数が一致しないことをシルエット照合し、匹数を確定する（ステップＡ８０）。水槽環境管理システム２２０に匹数不一致信号を送信する。確定匹数情報を含む送信内容である（ステップＡ８１）。水槽環境管理システム２２０はインターネット５００を介して、匹数を再確認するため映像再取得命令を水槽制御部１２０に送信する（ステップＡ８２）。可視サーモグラフィカメラ１１２が水槽本体１０１の水槽内熱帯魚の撮影を開始する（ステップＡ８３）。
【００８２】
水槽制御部１２０は取得した映像再情報を、インターネット５００を介して熱帯魚店等専門業者２００の熱帯魚識別システム２１０に送信する（ステップＡ８４）。熱帯魚識別システム２１０は受信した映像情報が匹数一致するかユーザ毎シルエットＤＢ２１２を再検索する（ステップＡ８５）。熱帯魚識別システム２１０は照合後、匹数減少及び匹数１匹以上であればユーザ毎シルエット情報ＤＢ２１２を匹数減少としてデータ更新する（ステップＡ８６）。熱帯魚識別システム２１０はユーザ情報更新信号を水槽環境管理システム２２０に送信する（ステップＡ８７）。水槽環境管理システム２２０はユーザ情報ＤＢ２２２を匹数減少としてデータ更新する（ステップＡ８８）。水槽環境管理システム２２０は熱帯魚減少の監視状況を監視画面に表示する（ステップＡ８９）。
【００８３】
次に、熱帯魚識別システム２１０のシルエット判断（ステップＡ８５）結果が、匹数増加不一致の場合について記述する。熱帯魚識別システム２１０は、照合後、匹数増加であれば取得した熱帯魚情報がＤＢ情報として有るかどうか全種シルエット情報ＤＢ２１３を検索する（ステップＡ９０）。熱帯魚識別システム２１０は、取得した熱帯魚情報がＤＢ情報として有れば、ユーザ毎シルエット情報ＤＢ２１２を匹数追加としてデータ更新する（ステップＡ９１）。熱帯魚識別システム２１０はユーザ情報更新信号を水槽環境管理システム２２０に送信する（ステップＡ９２）。水槽環境管理システム２２０はユーザ情報ＤＢ２２２を匹数追加としてデータ更新する（ステップＡ９３）。水槽環境管理システム２２０は熱帯魚追加の監視状況を監視画面に表示する（ステップＡ９４）。
【００８４】
次に、熱帯魚識別システム２１０のシルエット判断結果が匹数増加不一致であり、全種シルエット情報ＤＢ２１３を検索（ステップＡ９０）した結果、ＤＢ情報が無い場合について記述する。熱帯魚識別システム２１０は取得した熱帯魚情報がＤＢ情報として無い匹数を確定する（ステップＡ９５）。熱帯魚識別システム２１０はＤＢ情報無信号を水槽環境管理システム２２０に送信する（ステップＡ９６）。水槽環境管理システム２２０は熱帯魚不明の監視状況を監視画面に表示する（ステップＡ９７）。
【００８５】
次に、熱帯魚識別システム２１０のシルエット判断（ステップＡ８５）結果が、匹数ゼロの場合について記述する。熱帯魚識別システム２１０は匹数ゼロ信号を水槽環境管理システム２２０に送信する（ステップＡ９８）。水槽環境管理システム２２０は熱帯魚全滅の監視状況を監視画面に表示する（ステップＡ９９）。
【００８６】
上述した本発明は、病院・図書館等の各施設や企業に設置されている熱帯魚水槽だけではなく、個人の趣味範囲で飼育管理している熱帯魚水槽を出張などで長期に自らの手によるメンテナンスができない時に、臨時のメンテナンスや監視を熱帯魚店等の専門業者と個人契約を取り交わすといった用途にも適用できることは明らかである。また、熱帯魚に限らず、金魚等の観賞魚の飼育のための観賞魚水槽であれば、同様に広く適用可能である。
【００８７】
また、上述した図７〜２４のフローチャートの動作は、予めその動作手順をプログラムとしてＲＯＭなどの記録媒体に記録しておき、これをコンピュータにより読み取らせて実行するように構成できることは勿論である。
【図面の簡単な説明】
【００８８】
【図１】本発明の実施例の全体システム概略図である。
【図２】本発明の実施例のユーザにおける熱帯魚水槽の構成図である。
【図３】図１の水槽制御部の構成図である。
【図４】熱帯魚店等の専門業者における機能ブロック図である。
【図５】図４の熱帯魚識別システムの構成図である。
【図６】図４の水槽環境管理システムの構成図である。
【図７】本発明の実施例の動作を示すフローチャートであり、標準機能の℃／ｐＨ値監視の動作フローチャートである。
【図８】本発明の実施例の動作を示すフローチャートであり、水槽制御部１２０の水温計応答無し時の動作フローチャートである。
【図９】本発明の実施例の動作を示すフローチャートであり、水槽環境管理システム２２０の℃値を不適正と判断した時の動作フローチャートである。
【図１０】本発明の実施例の動作を示すフローチャートであり、水槽制御部１２０のサーモスタット応答無し時の動作フローチャートである。
【図１１】本発明の実施例の動作を示すフローチャートであり、水槽環境管理システム２２０のｐＨ値判断時の動作フローチャートである。
【図１２】本発明の実施例の動作を示すフローチャートであり、水槽制御部１２０の水素イオン濃度計応答無し時の動作フローチャートである。
【図１３】本発明の実施例の動作を示すフローチャートであり、オプションＡのＮＯ2 ／ＴＨ値監視の基本動作フローチャートである。
【図１４】本発明の実施例の動作を示すフローチャートであり、水槽環境管理システム２２０のＴＨ値判断時の動作フローチャートである。
【図１５】本発明の実施例の動作を示すフローチャートであり、水槽制御部１２０の亜硝酸計応答無し時の動作フローチャートである。
【図１６】本発明の実施例の動作を示すフローチャートであり、水槽制御部１２０の全硬度計応答無し時の動作フローチャートである。
【図１７】本発明の実施例の動作を示すフローチャートであり、オプションＢのＣＩＯ／ＣＯＤ値監視の基本動作フローチャートである。
【図１８】本発明の実施例の動作を示すフローチャートであり、水槽環境管理システム２２０のＣＯＤ値判断時の動作フローチャートである。
【図１９】本発明の実施例の動作を示すフローチャートであり、水槽制御部１２０の残留塩素計応答無し時の動作フローチャートである。
【図２０】本発明の実施例の動作を示すフローチャートであり、水槽制御部１２０の化学的酸素消費量計応答無し時の動作フローチャートである。
【図２１】本発明の実施例の動作を示すフローチャートであり、熱帯魚識別システム２１０の匹数減少確定時の動作フローチャートである。
【図２２】本発明の実施例の動作を示すフローチャートであり、熱帯魚識別システム２１０の匹数増加確定時の動作フローチャートである。
【図２３】本発明の実施例の動作を示すフローチャートであり、熱帯魚識別システム２１０のＤＢ情報無し時の動作フローチャートである。
【図２４】本発明の実施例の動作を示すフローチャートであり、熱帯魚識別システム２１０の匹数ゼロ確定時の動作フローチャートである。
【図２５】測定器情報ＤＢ１２２のデータ格納の例を示す図である。
【図２６】ユーザ毎シルエットＤＢ２１２のデータ格納の例を示す図である。
【図２７】全種シルエットＢ２１３のデータ格納の例を示す図である。
【図２８】ユーザ情報ＤＢ２２２のデータ格納の例を示す図である。
【図２９】オプション情報ＤＢ２２３のデータ格納の例を示す図である。
【図３０】ＮＯ2 ／ＴＨ情報ＤＢ２２４のデータ格納の例を示す図である。
【図３１】ＣＩＯ／ＣＯＤ情報ＤＢ２２５のデータ格納の例を示す図である。
【符号の説明】
【００８９】
１００  各施設・企業内の熱帯魚水槽
１０１  水槽本体
１０２  ろ過装置
１０３  ヒータ
１０４  サーモスタット
１０５  水温計
１０６  水素イオン濃度計
１０７  亜硝酸計
１０８  全硬度計
１０９  残留塩素計
１１０  化学的酸素消費量計
１１１  水位計
１１２  可視サーモグラフィカメラ
１１３，２０２  通信機器
１２０  水槽制御部
１２１，２１１，２２１  処理装置
１２２  計測器ＤＢ
２００  熱帯魚店等の専門業者
２０１  監視用モニタ
２１０  熱帯魚識別システム
２１２  ユーザ毎シルエット情報ＤＢ
２１３  全種シルエット情報ＤＢ
２２０  水槽環境管理システム
２２２  ユーザ情報ＤＢ
２２３  オプション情報ＤＢ
２２４  ＮＯ2 ／ＴＨ情報ＤＢ
２２５  ＣＩＯ／ＣＯＤ情報ＤＢ
５００  インターネット
【図１】
2008000037.tif 000003
【図２】
2008000037.tif 000004
【図３】
2008000037.tif 000005
【図４】
2008000037.tif 000006
【図５】
2008000037.tif 000007
【図６】
2008000037.tif 000008
【図７】
2008000037.tif 000009
【図８】
2008000037.tif 000010
【図９】
2008000037.tif 000011
【図１０】
2008000037.tif 000012
【図１１】
2008000037.tif 000013
【図１２】
2008000037.tif 000014
【図１３】
2008000037.tif 000015
【図１４】
2008000037.tif 000016
【図１５】
2008000037.tif 000017
【図１６】
2008000037.tif 000018
【図１７】
2008000037.tif 000019
【図１８】
2008000037.tif 000020
【図１９】
2008000037.tif 000021
【図２０】
2008000037.tif 000022
【図２１】
2008000037.tif 000023
【図２２】
2008000037.tif 000024
【図２３】
2008000037.tif 000025
【図２４】
2008000037.tif 000026
【図２５】
2008000037.tif 000027
【図２６】
2008000037.tif 000028
【図２７】
2008000037.tif 000029
【図２８】
2008000037.tif 000030
【図２９】
2008000037.tif 000031
【図３０】
2008000037.tif 000032
【図３１】
2008000037.tif 000033